(57)【特許請求の範囲】
【請求項１】
下側の位置するパレットに対し、１対の妻面パネル、１対の側面パネルおよび天井面パネルを組み付けて箱状に組み立て、フォーミング材を用いているスチールボックスであって、
前記パレットは、各側縁に下方に開放される下側パネル係止部を有し、
前記妻面パネルおよび側面パネルは、下縁に前記パネル係止部にスライド可能に係合する下側被係止部をそれぞれ有する一方、前記妻面パネル又は側面パネルの上縁に上側被係止部を有し、
前記天井面パネルは、対向する側縁に前記妻面パネル又は側面パネルの上側被係止部にスライド可能に係合する上側パネル係止部を有し、
前記妻面パネル又は側面パネルと天井面パネルとが締結具によって固定されていることを特徴とするスチールボックス。
【請求項２】
前記フォーミング材は、亜鉛メッキ鋼板をロール加工したものである請求項１に記載のスチールボックス。
【請求項３】
前記天井面パネルの四隅に、コーナー支持具が設けられ、このコーナー支持具によって上側に積み重ねられる、別のスチールボックスの下側コーナ部を支持可能である請求項１または２に記載のスチールボックス。
【発明の詳細な説明】
【技術分野】
【０００１】
本発明は、フォーミング材を利用した搬送用梱包箱であるスチールボックスに関するものである。
【背景技術】
【０００２】
近年、環境問題の厳しい現状から、搬送用梱包箱を再利用により、繰り返し使用できることが求められている。また、作業効率から組立・解体が容易であることも求められる。
【０００３】
そこで、底板の上に荷物を載せ、荷物の三方を２枚の妻板、および１枚の側板で囲み、さらに天板を載せ、それらを釘などで固定して一方が開放された構造体とし、もう１枚の側板を取り付けて、ベルトをかけて締め付けることによりもう１枚の側板が外れないようにしたものが知られている（例えば特許文献１参照）。
【先行技術文献】
【特許文献】
【０００４】
【特許文献１】特開２００７−１６８８９６号公報（段落００２４）
【発明の概要】
【発明が解決しようとする課題】
【０００５】
前記特許文献１記載のものは、木材を利用しているため、耐久性に劣り、繰り返して使用できる回数をあまり多くできない。
【０００６】
本発明は、フォーミング材を利用して、組立が容易で、耐久性に優れ、繰り返し使用できるスチールボックスを提供することを目的とする。
【課題を解決するための手段】
【０００７】
請求項１の発明は、下側の位置するパレットに対し、１対の妻面パネル、１対の側面パネルおよび天井面パネルを組み付けて箱状に組み立て、フォーミング材を用いているスチールボックスであって、前記パレットは、各側縁に下方に開放される下側パネル係止部を有し、前記妻面パネルおよび側面パネルは、下縁に前記パネル係止部にスライド可能に係合する下側被係止部をそれぞれ有する一方、前記妻面パネル又は側面パネルの上縁に上側被係止部を有し、前記天井面パネルは、対向する側縁に前記妻面パネル又は側面パネルの上側被係止部にスライド可能に係合する上側パネル係止部を有し、前記妻面パネル又は側面パネルと天井面パネルとが締結具によって固定されていることを特徴とする。
【０００８】
このようにすれば、パレットおよび天井パネル側のパネル係止部と妻面パネルおよび側面パネル側の被係止部とをスライド可能に係合させることでボックス状に組み立てることができるので、組立・解体が容易である。特に、フォーミング材を用いているので、耐久性に優れ、繰り返し使用を実現することができるのに加えて、パレットと各パネルの組み付けは、釘やボルトではなく、フォーミング材の特殊形状（例えば側縁の折り曲げ部分）を利用して行うことができ、釘やボルトを用いる必要がなくなる。最終的に天井面パネルの四隅を妻面パネルに、締結具（例えば４本のビス）で固定すればよい。
【０００９】
この場合、請求項２に記載のように、前記フォーミング材は、亜鉛メッキ鋼板をロール加工したものとすることができる。
【００１０】
このようにすれば、亜鉛メッキ鋼板をロール加工して利用しているので、耐水性に優れ、外観がきれいである。木材を使用する場合に比べて、厚さを薄くすることができる。
【００１１】
請求項３に記載のように、前記天井面パネルの四隅に、コーナー支持具が設けられ、このコーナー支持具によって上側に積み重ねられる、別のスチールボックスの下側コーナ部を支持可能とすることが望ましい。
【００１２】
このようにすれば、コーナー支持具を利用して、スチールボックスを積み上げることができる。
【発明の効果】
【００１５】
本発明は、上記のように構成したから、パレットおよび天井パネル側のパネル係止部と妻面パネルおよび側面パネル側の被係止部との係合関係で組み立てることができ、組立・解体が容易であり、また、フォーミング材を利用しているので、耐久性に優れ、繰り返し使用を実現することができる。
【図面の簡単な説明】
【００１６】
【図１】本発明に係るスチールボックスの一実施の形態を示す斜視図である。
【図２】パレットの斜視図である。
【図３】（ａ）はパレットの側面図、（ｂ）図３（ａ）のＡ部拡大図である。
【図４】妻面パネルを示し、（ａ）は正面図、（ｂ）は側面図である。
【図５】側面パネルを示し、（ａ）は正面図、（ｂ）は側面図である。
【図６】天井面パネルを示し、（ａ）は正面図、（ｂ）は側面図である。
【図７】コーナー支持具を示す斜視図である。
【発明を実施するための形態】
【００１７】
以下、本発明の実施の形態を図面に沿って説明する。
【００１８】
本発明に係るスチールボックス１は、図１に示すように、下側の位置するパレット２に対し、１対の妻面パネル３，３、１対の側面パネル４，４および天井面パネル５を組み付けて箱状に組み立てられたものである。
【００１９】
つまり、スチールボックス１は、１つのパレット２と５枚のパネル３〜５によって形成されることになり、これらは平面視矩形状で、それらでもってスチールボックス１を組立可能になるように互いに対応する大きさを有する。
【００２０】
パレット２および各パネル３〜５は、同一断面形状のフォーミング材を必要な寸法に切断したものを用い、それらを溶接することにより形成されている。フォーミング材は、亜鉛メッキ鋼板をロール加工したものである。この実施の形態では、フォーミング材として、厚さ０．４５ｍｍ程度の亜鉛メッキ鋼板（ＳＧＣ５７０）をロール加工し、幅８５ｍｍ、高さ１０ｍｍの形状に加工したものを基本的に利用するが、本発明はそれに限定されるものではなく、使用目的に応じて、他の寸法のフォーミング材を用いることができるのはいうまでもない。
【００２１】
パレット２は、図２および図３（ａ）（ｂ）に示すように、左右の柱状部１１，１１の上側部分が、フォーミング材からなる４つの連結材１２にて相互に連結され、平面視矩形状に形成されている。各柱状部１１は、フォーミング材からなる上側および下側部材１１Ａ，１１Ｂの長手方向端部や中間部位が複数の縦板１１Ｃにて連結されている。パレット２の側部（柱状部１１の側部）は、外側にフォークの挿入防止のための挿入防止プレート１３が設けられている。
【００２２】
パレット２の、柱状部１１の端部間はフォークリフトのムーバー挿入部Ｓとされ、ムーバー（図示せず）との衝突するから保護するためにムーバー補強材１４が設けられている。このプレート１４は、柱状部１１の端部となる２つの縦板１４Ａと、両縦板１４Ａの上下を連結する上下の棒状部材１４Ｂ，１４Ｃとを有する。
【００２３】
上側部材１１Ａは、外側縁が外側方に若干突出して下向きに開放された、開口溝状の第１のパネル係止部１１Ａａとなっている。また、柱状部１１の各端部に配置される連結材１２も、外側縁が外側方に若干突出して下向きに開放された、開口溝状の第２のパネル係止部１２ａとなっている。これらパネル係止部１１Ａａ，１２ａは、フォーミング材の屈曲形状を利用して形成されている。
【００２４】
妻面パネル３は、図４に示すように、左右方向の３つの横部材２１Ａ，２１Ｂ，２１Ｃと、上下方向の３つの縦部材２２Ａ，２２Ｂ，２２Ｃが溶接により接合されて平面視矩形状に形成されている。
【００２５】
上下の横部材２１Ａ，２１Ｃは、それぞれ、後述する天井面パネル５のパネル係止部４１Ａａあるいは４１Ｂａがスライド可能に係合する、開口溝状の上側被係止部２１Ａａと、パレット２のパネル係止部１１Ａａがスライド可能に係合する、開口溝状の下側被係止部２１Ｃａとを有する。つまり、横部材２１Ａ，２１Ｃの上下縁部は、縦部材２２Ａ〜２２Ｃの上下端部よりも上下方向に若干突出して内側（縦部材２２Ａ〜２２Ｃが設けられている側）に開放された被係止部２１Ａａ，２１Ｃａとなっている。ここで、下側被係止部２１Ｃａがスライド可能に係合されるのは、連結材１２に直交する方向であり、この連結材１２はパネル係止部１１Ａａを有する上側部材１１の上側に設けられているので、スライドの際に連結材１２に衝突しないように、下側被係止部２１Ｃａの開口溝幅が上側被係止部２１Ａａよりも広くなっている。
【００２６】
側面パネル４は、図５に示すように、左右方向の２つの横部材３１Ａ，３１Ｂと、上下方向の３つの縦部材３２Ａ，３２Ｂ，３２Ｃが溶接により接合されて平面視矩形状に形成されている。側面パネル４の下側の横部材３１Ｂも、妻面パネル３の下側の横部材２１Ｃと同様に、下縁に、連結材１２に形成されるパネル係止部１２ａにスライド可能に係合する、開口溝状の下側被係止部３１Ｂａを有する。つまり、横部材３１Ｂの下縁部は、縦部材３２Ａ〜３２Ｃの下端部よりも下方向に若干突出して内側（縦部材３２Ａ〜３２Ｃが設けられている側）に開放された被係止部３１Ｂａとなっている。なお、側面パネル４の中央の縦部材３２Ｂは、上側の横部材３１Ａよりも若干突出するように設けられ、天井面パネル５と取り付けた状態で、前記突出部分で天井面パネル５を下側から支えるようになっている。
【００２７】
天井面パネル５は、連結材１２と直交する方向に延びる２つの部材４１Ａ，４１Ｂと、それらの上側においてそられに直交する方向に延びる３つの部材４２Ａ，４２Ｂ，４２Ｃが溶接により接合されて平面視矩形状に形成されている。そして、部材４２Ａ，４２Ｃは、妻面パネル３の上側被係止部２１Ａａにスライド可能に係合する、開口溝状の上側パネル係止部４２Ａａ，４２Ｃａを有する。また、天井面パネル５は、両側縁に妻面パネル３の上側被係止部２１Ａａにスライド可能に係合する上側パネル係止部４１Ａａ，４１Ｂａを有し、上側パネル係止部４１Ａａ，４１Ｂａを妻面パネル３の上側被係止部２１Ａａに係合させた状態では、側面パネル４，４が妻面パネル３，３によって両側から挟まれた状態となる。
【００２８】
さらに、天井面パネル５の四隅（部材４２Ａ，４２Ｃの両端部）には、上側へのボックス積み重ねのためのコーナー支持具５１が溶接により固定されている。このコーナー支持具５１は、天井面パネル５上に載置される矩形板状の水平板部５１Ａの上側に断面Ｌ字形状の係合部５１Ｂが天井パネル５の隅部を形成するように設けられ、取付孔５１Ｃａを有し妻面パネル３の外面に沿うように鉛直板部５１Ｃが下方に延びている。これにより、上側に別のスチールボックス１を積み重ねる際に各係合部５１Ｂに四隅を嵌め込むことでボックスの積み重ね状態を安定して確実に保持できるようになっている。つまり、振れ止め機能を有する。
【００２９】
そして、パレット２に対し各パネル３〜５を，前述した係合関係で組み立てた後、各コーナー支持具５１の取付孔５１Ｃａを通じて、妻面パネル３側からビス（図示せず）をねじ込むことで、妻面パネル３と天井面パネル５とがコーナー支持具５１を利用して固定され、側面パネル４が妻面パネル３の間にしっかりと挟まれた状態となり、それらが外側に倒れないようになっている。なお、このビスをねじ込む際には、妻面パネル３や側面パネル４が不用意に外方に倒れないようにゴムバンド（図示せず）を巻き付けて仮止めしておくことが、作業効率の点から望ましい。
【００３０】
また、解体する際には、四隅のビスを引き抜き、天井面パネル５を取り外せば、妻面パネル３および側面パネル４は、下縁がパレット２に係合されただけの状態となり、外側に倒すことができるので、妻面パネル３および側面パネル４をパレット２から取り外さなくても、内容梱包品を取り出すことができる。
【００３１】
上記スチールボックス１によれば、特にフォーミング材を利用して各パネル３〜５やパレット２を形成しているので、他の部材（木材、鋼材など）のように定尺材とする必要がなく、ロス率が少ない。フォーミング材の、波形形状という特性を利用してスチールボックス１について求められる強度を確保することも可能となる。
【００３２】
各パネル３〜５の組立において、ボックス構成要素であるフォーミング材同士の接続は、４箇所のスポット溶接によれば、フォーミング材に筋交いの役目を果たさせることができる。また、各パネルの組立は、半自動の溶接の組み立て作業となり、溶接工程が少なくてすむ。
【００３３】
さらに、コンテナ輸送などの場合、木材のように、蒸れなどによる貨物の錆発生の原因を回避できるし、木材のような熱処理費用が不要となる。
【００３４】
スチールボックス１の重量は軽量で、同じ大きさの木箱の重量と比較して、約５０％で済む。
【００３５】
単品の箱よりも量産に適しており、再利用も可能である。
【００３６】
フォークリフトによる荷役作業が、下面の四方向から可能であるが、フォークリフトによる作業でムーバーを利用する際には、ムーバー補強材１４によって補強され対向する２位置に設けられているムーバー挿入口Ｓにムーバーを挿入することができる。
【００３７】
段積み作業は、天井面パネル５の四隅に、上側に積み重ねられるスチールボックス１の下側コーナ部を支持するコーナー支持具５１が設けられているので、このコーナー支持具５１によって、スチールボックス１の積み重ね作業が容易になるし、コーナー支持具５１がスチールボックス１の振れ止め機能も発揮する。
【００３８】
スチールボックス１は、パレット２の上側に５つのパネル３〜５を組み付ける六面体の構造であるので、内容梱包物の、パレット２上への設置が容易である。
【００３９】
本発明は，前記実施の形態に制限されず、次のように変更して実施することも可能である。
【００４０】
(i)前記実施の形態では、天井面パネル５の上側パネル係止部にスライド可能に係合する上側被係止部を妻面パネル３の上縁に形成しているが、側面パネルの上縁に形成することも可能である。
【００４１】
(ii)パレット、妻面パネル、側面パネルおよび天井面パネルを形成する各部材（フォーミング材）の配置は、係止部や被係止部を確保し必要が剛性が得られる配置であれば、前述した実施の形態に制限されるものではない。同様に、コーナー支持具の形状も、前述した実施の形態に制限されるものではない。
【００４２】
(iii)前記実施の形態では、各パネルを形成するフォーミング材は、断面形状（波形形状）が同一である一種類のものを用いているが、凹凸の数が異なるなどの断面形状が異なる、二種類以上のフォーミング材を用いて、各パネルを形成することも可能である。
【符号の説明】
【００４３】
１    スチールボックス
２    パレット
３    妻面パネル
４    側面パネル
５    天井面パネル
１１    柱状部
１１Ａａ，１２ａ    パネル係止部
２１Ａ    横部材
２１Ａａ    上側被係止部
２１Ｃ    横部材
２１Ｃａ    下側被係止部
３１Ａ，３１Ｂ    横部材
３１Ｂａ    下側被係止部
４１Ａ，４１Ｂ    部材
４１Ａａ，４１Ｂａ    上側パネル係止部
５１    コーナー支持具
Ｓ    ムーバー挿入口
【図１】
0005797919.tif 000002
【図２】
0005797919.tif 000003
【図３】
0005797919.tif 000004
【図４】
0005797919.tif 000005
【図５】
0005797919.tif 000006
【図６】
0005797919.tif 000007
【図７】
0005797919.tif 000008